(57)【特許請求の範囲】
【請求項１】
冷媒流通経路（Ｌ）の途中に介設された弁本体（１）内に形成された弁孔（２）の開度を、電磁力を駆動源として作動される弁体（３）により制御するように構成された冷媒用弁装置であって、前記弁体（３）には、前記弁孔（２）の口縁を清掃する回転清掃具（８）を流通冷媒流（Ｘ）により回転され得るように支持するとともに、前記回転清掃具（８）を、前記弁体（３）に対して回転自在に支持された回転支持部（９）と、該回転支持部（９）から垂設され且つ前記弁孔（２）口縁に当接される清掃具本体（１０）とにより構成したことを特徴とする冷媒用弁装置。
【請求項２】
前記回転支持部（９）には、流通冷媒流（Ｘ）を受ける複数の羽根（１１），（１１）・・を形成したことを特徴とする前記請求項１記載の冷媒用弁装置。
【請求項３】
前記弁本体（１）へ冷媒（Ｘ）を流入させるための入口側冷媒配管（５）の出口を、前記弁孔（２）の外周側に向かって冷媒（Ｘ）が流入するように臨ましめたことを特徴とする前記請求項１および２のいずれか一項記載の冷媒用弁装置。
【発明の詳細な説明】
【０００１】
【発明の属する技術分野】
【０００２】
本願発明は、冷媒流通経路に介設される冷媒用弁装置に関するものである。
【従来の技術】
【０００３】
冷媒流通経路の途中に介設され、電磁力を駆動源として作動される冷媒用弁装置としては、電動膨張弁、電磁開閉弁、電磁閉鎖弁等があり、例えば、図５に示すように、冷媒流通経路Ｌの途中に介設された弁本体１内に形成された弁孔２の開度を、電磁力を駆動源として（即ち、ソレノイドコイル４により）作動される弁体３により制御するように構成されている。５は入口側冷媒配管、６は出口側冷媒配管である。
【発明が解決しようとする課題】
【０００４】
ところで、上記のような構成の冷媒用弁装置においては、弁体３と弁孔２の口縁（即ち、弁シート部７）との隙間が極めて小さくなっているため、構造的に冷媒流通経路Ｌ内のゴミＤが比較的溜まり易い。
【０００５】
上記のように弁シート部７にゴミＤが溜まると、弁体３の閉弁状態が不完全となるところから、弁漏れ量が増加する。すると、冷媒システム全体としては熱交換器が凍結している等と誤検知する場合がある。また、弁体３においてはゴミの噛み込みによる損傷を生ずる場合がある。特に、特定フロン等の代替冷媒として用いられるＨＦＣ系冷媒を使用した冷媒システムにおいては、配管系統内に残留する鉱油、あるいは酸化劣化したエステル系冷凍機油と生成したスラッジが前記弁シート部７に析出し易いものと推定され、その対策が待たれている。
【０００６】
なお、実開平２−４８７６６号公報には、弁装置内の冷媒通路と駆動源であるソレノイドコイルを内蔵したケーシング内室との間でゴミ等の異物の移動を阻止するフィルタを設けた電動膨張弁が開示されているが、この公知例の場合、一旦弁シート部に滞留した後のゴミを除去することはできない。
【０００７】
本願発明は、上記の点に鑑みてなされたもので、弁シート部にゴミが滞留しないようにし、もって冷媒用弁装置の信頼性を確保することを目的とするものである。
【課題を解決するための手段】
【０００８】
本願発明の基本構成では、上記課題を解決するための手段として、冷媒流通経路Ｌの途中に介設された弁本体１内に形成された弁孔２の開度を、電磁力を駆動源として作動される弁体３により制御するように構成された冷媒用電磁弁において、前記弁体３に、前記弁孔２の口縁を清掃する回転清掃具８を流通冷媒流Ｘにより回転され得るように支持するとともに、前記回転清掃具８を、前記弁体３に対して回転自在に支持された回転支持部９と、該回転支持部９から垂設され且つ前記弁孔２口縁に当接される清掃具本体１０とにより構成している。
【０００９】
上記のように構成したことにより、流通冷媒流Ｘにより回転される回転清掃具８により弁孔２口縁（即ち、弁シート部７）の清掃が冷媒流Ｘが流れるときに常時実行されることとなり、弁シート部７にゴミが溜まるということがなくなる。従って、弁体３の閉弁作動を完全ならしめることができ、信頼性が大幅に向上する。しかも、簡単な構成で弁シート部７の清掃を確実に行うことができる。
【００１０】
本願発明の基本構成において、前記回転支持部９に、流通冷媒流Ｘを受ける複数の羽根１１，１１・・を形成した場合、流通冷媒流Ｘによる回転清掃具８の回転作動をより容易とすることができる。
【００１１】
また、前記弁本体１へ冷媒Ｘを流入させるための入口側冷媒配管５の出口を、前記弁孔２の外周側に向かって冷媒Ｘが流入するように臨ましめた場合、流通冷媒流Ｘの旋回成分が回転清掃具８を回転させるための力として作用することとなり、回転清掃具８の回転作動をより一層容易とすることができる。
【発明の実施の形態】
【００１２】
以下、添付の図面を参照して、本願発明の好適な実施の形態について詳述する。
【００１３】
この冷媒用弁装置は、従来技術の項に説明したものと大略同じ構造とされており、図１および図２に示すように、冷媒流通経路Ｌの途中に介設された弁本体１と、該弁本体１内に形成された弁孔２を開閉する弁体３と、該弁体３を駆動させるためのソレノイドコイル４とを備えて構成されている。つまり、ソレノイドコイル４により（換言すれば、電磁力を駆動源として作動される）弁体３を進退させることにより弁孔２の開度を調整することとなっているのである。符号５は入口側冷媒配管、６は出口側冷媒配管である。
【００１４】
本実施の形態においては、前記弁孔２の口縁である弁シート部７は、円錐形状とされている（図４参照）。
【００１５】
しかして、前記弁体３には、前記弁孔２の口縁（即ち、弁シート部７）を清掃する回転清掃具８が回転自在に支持されている。
【００１６】
前記回転清掃具８は、合成樹脂の一体成形品からなっており、図３に示すように、前記弁体３に形成された軸受となる凹部３ａに対して回転自在に支持された略円盤状の回転支持部９と、該回転支持部９から垂設され且つ前記弁シート部７に当接される清掃具本体１０とにより構成されている。前記清掃具本体１０は、前記回転支持部９の下面から一体に垂設された複数本（例えば、４本）のアーム部１０ａ，１０ａ・・と該各アーム１０ａの先端に設けられたブラシ部１０ｂとからなっている。なお、前記ブラシ部１０ｂは、円錐形状の弁シート部７への当接が確実に得られるとともに、弁体３の閉作動時（即ち、下動時）に円錐形状の弁シート部７に沿うように外向きに屈曲せしめられている。また、前記回転支持部９の下面外周には、流通冷媒流Ｘを受ける複数の羽根１１，１１・・が一体に形成されている。符号１３は回転支持部９の中心穴である。
【００１７】
前記回転支持部９は、切断部１２により切断されており、該切断部１２を開いて弁体３の凹部３ａに嵌め込むようになっている。
【００１８】
さらに、前記入口側冷媒配管５は、その出口を前記弁本体１に対して前記弁孔２の外周側に向かって冷媒Ｘが流入するように臨ましめた状態で取り付けられている。
【００１９】
上記のように構成された冷媒用弁装置は次のように作用する。
【００２０】
弁体３が開弁状態となっている場合には、入口側冷媒配管５から流入する冷媒Ｘが旋回流となって回転清掃具８における羽根１１，１１・・に作用し、回転清掃具８は、そのブラシ部１０ｂを弁シート部７に当接された状態で回転される。従って、弁シート部７に滞留しようとしたゴミが冷媒流Ｘが流れるときに常時清掃除去され、円錐形状の弁シート部７の下方に溜まることとなる。
【００２１】
一方、弁体３が閉作動されると、弁体３の移動に伴って回転清掃具８も弁シート部７側へ移動せしめられるが、その際回転清掃具８におけるブラシ部１０ｂは円錐形状の弁シート部７に沿うこととなる。この状態では、回転清掃具８は回転作動しないが、冷媒Ｘの流通は確保される。なお、この時の流通抵抗は回転清掃具８の存在により増大するが、開度調整の際に前記流通抵抗分を考慮すれば問題ない。
【００２２】
上記したように、本実施の形態にかかる冷媒用弁装置においては、弁体３の閉弁作動を完全ならしめることができるところから、信頼性が大幅に向上するとともに、代替冷媒であるＨＦＣ系冷媒を用いた場合における配管でのコンタミ量の規制緩和に貢献することができる（換言すれば、洗浄経費削減による配管部材のコストダウンを図ることができる）。
【００２３】
本願発明は、上記実施の形態の電動膨張弁以外の弁装置（例えば、電磁開閉弁、電磁閉鎖弁等）にも適用可能なことは勿論である。
【発明の効果】
【００２４】
本願発明によれば、冷媒流通経路Ｌの途中に介設された弁本体１内に形成された弁孔２の開度を、電磁力を駆動源として作動される弁体３により制御するように構成された冷媒用弁装置において、前記弁体３に、前記弁孔２の口縁を清掃する回転清掃具８を流通冷媒流Ｘにより回転され得るように支持して、流通冷媒流Ｘにより回転される回転清掃具８により弁孔２口縁（即ち、弁シート部７）の清掃が冷媒流Ｘが流れるときに常時実行されるようにしたので、弁シート部７にゴミが溜まるということがなくなり、弁体３の閉弁作動を完全ならしめることができ、信頼性が大幅に向上するという優れた効果がある。特に、代替冷媒であるＨＦＣ系冷媒を用いた場合における配管でのコンタミ量の規制緩和に貢献することができる（換言すれば、洗浄経費削減による配管部材のコストダウンを図ることができる）。しかも、回転清掃具８は、特別な駆動手段等を用いることなく、冷媒流Ｘにより回転せしめられるようになっているので、構造が簡単且つ低コストとなる。また、前記回転清掃具８を、前記弁体３に対して回転自在に支持された回転支持部９と、該回転支持部９から垂設され且つ前記弁孔２口縁に当接される清掃具本体１０とにより構成しているので、簡単な構成で弁シート部７の清掃を確実に行うことができる。
【００２５】
本願発明において、前記回転支持部９に、流通冷媒流Ｘを受ける複数の羽根１１，１１・・を形成した場合、流通冷媒流Ｘによる回転清掃具８の回転作動をより容易とすることができる。
【００２６】
また、前記弁本体１へ冷媒Ｘを流入させるための入口側冷媒配管５の出口を、前記弁孔２の外周側に向かって冷媒Ｘが流入するように臨ましめた場合、流通冷媒流Ｘの旋回成分が回転清掃具８を回転させるための力として作用することとなり、回転清掃具８の回転作動をより一層容易とすることができる。
【図面の簡単な説明】
【図１】  本願発明の実施の形態にかかる冷媒用弁装置の縦断面図である。
【図２】  図１のＩＩ−ＩＩ断面図である。
【図３】  本願発明の実施の形態にかかる冷媒用弁装置における回転清掃具の拡大斜視図である。
【図４】  本願発明の実施の形態にかかる冷媒用弁装置にかかる弁シート部の拡大斜視図である。
【図５】  従来の冷媒用弁装置の縦断面図である。
【符号の説明】
１は弁本体、２は弁孔、３は弁体、４はソレノイドコイル、５は入口側冷媒配管、７は弁シート部、８は回転清掃具、９は回転支持部、１０は清掃具本体、１１は羽根、Ｌは冷媒流通経路、Ｘは冷媒。
【図１】
0003772457.tif 000002
【図２】
0003772457.tif 000003
【図３】
0003772457.tif 000004
【図４】
0003772457.tif 000005
【図５】
0003772457.tif 000006